(57)【要約】【課題】異なる栽培条件の植物を一台で栽培することが可能な植物栽培装置を提供する。【解決手段】栽培室１５ａでは植物Ｐ１の生育に適切な温度１５℃となるように調節すると共に、ＬＥＤ２１から植物Ｐ１に照射される光の強さが１５００ルクスで、１日の光の照射時間が８時間となるように調節する。これと同様に、栽培室１５ｂでは温度１８℃、１８００ルクスで、１０時間となるように調節し、栽培室１５ｃでは温度２２℃、２０００ルクスで、１２時間となるように調節し、栽培室１５ｄでは２５℃、２５００ルクスで、１４時間となるように調節する。【選択図】        図２
2014239667.tif 000002
【特許請求の範囲】
【請求項１】
箱状の本体と、前記本体の内部に設けられ、互いに区分けされ独立した複数の栽培室と、前記栽培室に備えられた人工光源と、前記栽培室の温度を調節する温度調節手段とを有し、前記温度調節手段は前記複数の栽培室のそれぞれに備えられ、栽培室毎に温度を調節することを特徴とする植物栽培装置。
【請求項２】
請求項１に記載した植物栽培装置において、人工光源は複数の栽培室のそれぞれに備えられており、栽培室毎に光の強さ・光の照射時間の光の照射条件を調節することを特徴とする植物栽培装置。
【請求項３】
請求項２に記載した植物栽培装置において、複数の栽培室は、それぞれ少なくとも左右の側板、底板、天板及び背板によって囲まれていることを特徴とする植物栽培装置。
【発明の詳細な説明】
【技術分野】
【０００１】
本発明は植物栽培装置に係り、特に異なる栽培条件を必要とする植物を栽培する植物栽培装置に関するものである。
【背景技術】
【０００２】
近年、屋内で光と温度の管理を行って植物を生産する屋内型の植物栽培が盛んに行われている。このような栽培を行うための装置として、例えば特許文献１に記載される植物栽培装置がある。この植物栽培装置は本体の内部に設けられ多段に区分けされた複数の区分け空間から成る栽培室と、栽培室に備えられた人工光源と、栽培室の温度を調整する温度調整手段が備えられたものである。
【先行技術文献】
【特許文献】
【０００３】
【特許文献１】特開２０１２−１４７７３０号公報
【発明の概要】
【発明が解決しようとする課題】
【０００４】
しかしながら、上記従来の植物栽培装置は複数の栽培室を全て同じ温度、同じ光の強さ・照射時間等の栽培条件で管理するものである。従って、栽培条件毎に植物栽培装置を準備する必要があり、例えば異なる種類の植物を栽培するときや、同じ種類の植物であっても収穫時期をずらして栽培するとき等、一台の植物栽培装置では対応することができないという問題がある。
【０００５】
本発明は上記従来の問題点に着目して為されたものであり、異なる栽培条件の植物を一台の植物栽培装置で栽培することができる植物栽培装置の提供を、その目的とする。
【課題を解決するための手段】
【０００６】
本発明は上記課題を解決するためになされたものであり、請求項１の発明は、箱状の本体と、前記本体の内部に設けられ、互いに区分けされて独立した複数の栽培室と、前記栽培室に備えられた人工光源と、前記栽培室の温度を調節する温度調節手段とを有し、前記温度調節手段は前記複数の栽培室のそれぞれに備えられ、栽培室毎に温度を調節することを特徴とする植物栽培装置である。
【０００７】
請求項２の発明は、請求項１に記載した植物栽培装置において、人工光源は複数の栽培室のそれぞれに備えられており、栽培室毎に光の強さ・光の照射時間の光の照射条件を調節することを特徴とする植物栽培装置である。
【０００８】
請求項３の発明は、請求項２に記載した植物栽培装置において、複数の栽培室は、それぞれ少なくとも左右の側板、底板、天板及び背板によって囲まれていることを特徴とする植物栽培装置である。
【発明の効果】
【０００９】
本発明の植物栽培装置は、栽培室毎に温度調節手段と人工光源が備えられており、栽培室毎に温度や光の照射条件を調節することができるため、異なる栽培条件の植物を一台の植物栽培装置で栽培することが可能となる。
【図面の簡単な説明】
【００１０】
【図１】本発明の実施の形態に係る植物栽培装置の正面図である。
【図２】図１の植物栽培装置の天板の断面図である。
【図３】図１の植物栽培装置の天板の構成について説明するための斜視図である。
【発明を実施するための形態】
【００１１】
本発明の実施の形態に係る植物栽培装置１を図面にしたがって説明する。
符号３は本体を示し、この本体３は底板５、天板６、左右の側板７、８及び背板９によって構成され、前面が開口する縦長の箱状に形成されている。左右の側板７、８及び背板９は断熱性材料によって構成されている。
本体３の内部は仕切り板１１、１２、１３によって４つに仕切られており、栽培室１５ａ、１５ｂ、１５ｃ、１５ｄが四段に区分けされ、それぞれ独立して設けられている。
【００１２】
すなわち、栽培室１５ａは底板５、左右の側板７、８、背板９によって囲まれ、更に、栽培室１５ｂは左右の側板７、８、背板９、底板としての仕切り板１１、天板としての仕切り板１２に、栽培室１５ｃは左右の側板７、８、背板９、底板としての仕切り板１２、天板としての仕切り板１３に、栽培室１５ｄは左右の側板７、８、背板９、底板としての仕切り板１３、天板６によって囲まれている。従って、栽培室１５ａ、１５ｂ、１５ｃ、１５ｄはそれぞれ独立した空間となっている。
【００１３】
天板６、仕切り板１１、１２、１３の下面にはＬＥＤユニット１９が固定されている。なお、天板６、仕切り板１１、１２、１３はＬＥＤユニット１９の上蓋を兼ねている。
ＬＥＤユニット１９は高さ寸法の比較的小さい箱状を為している。ＬＥＤユニット１９には複数のＬＥＤ２１が備えられている。また、このＬＥＤユニット１９は図示しないコントローラが備えられており、このコントローラによってＬＥＤ２１の光の強さ、光の照射時間等の光の照射条件が制御される。これらＬＥＤ２１と、そのコントローラによって人工光源が構成されている。
【００１４】
また、ＬＥＤユニット１９には２つの取り付け穴が形成されており、この取り付け穴にはペルチェ素子２３がそれぞれに取り付けられている。ペルチェ素子２３は図２において下面は吸熱面、上面は発熱面となっている。またペルチェ素子２３の下面には冷却フィン２５が取り付けられており、上面には放熱フィン２７が取り付けられている。放熱フィン２７の上側には放熱ファン２９が備えられている。
また、ＬＥＤユニット１９の下面には温度センサー３１が備えられ、この温度センサー３１はペルチェ素子２３への通電を制御する図示しないコントローラに接続されている。
ペルチェ素子２３、冷却フィン２５、放熱フィン２７、放熱ファン２９、温度センサー３１および図示しないコントローラによって温度調節手段が構成されている。
【００１５】
符号３５は自動養液注入装置を示し、この自動養液注入装置３５は後述する栽培箱３７内の人工土壌が乾燥するとそれを感知して自動的に養液を注入するものである。自動養液注入装置３５は底板５、仕切り板１１、１２、１３に設置されており、栽培室１５ａ、１５ｂ、１５ｃ、１５ｄにそれぞれ備えられている。
符号３７は容器としての栽培箱を示し、この栽培箱３７には人工土壌が収容されている。
以上のように植物栽培装置１は構成され、収容室２に設置されている。植物栽培装置１を収容室２に収容して、外気と隔絶することで植物栽培装置１による温度調節を高い精度で行うことが可能となる。また、収容室２にエアコンディショナーを備えて、収容室２内の温度を管理すれば、植物栽培装置１による温度調節をより高い精度で管理することができる。
【００１６】
次に、この植物栽培装置１の使用方法について説明する。
４つの栽培箱３７に収容された人工土壌に異なる種類の植物Ｐ１、Ｐ２、Ｐ３、Ｐ４の種をそれぞれ播き、養液を与える。そして、栽培箱３７を栽培室１５ａ、１５ｂ、１５ｃ、１５ｄの自動養液注入装置３５の上にそれぞれ載置する。栽培箱３７に収容された人工土壌の水分が減少すると自動養液注入装置３５が自動的に養液を注入し、人工土壌が適度に水分を含んだ状態とする。
【００１７】
栽培室１５ａの温度を仕切り板１１の温度センサー３１が検知し、この検知結果はコントローラに伝達され、ペルチェ素子２３への通電が制御される。栽培室１５ａの温度が高くなるとペルチェ素子２３は吸熱し、冷却フィン２５を介して栽培室１５ａの温度が下がる。栽培室１５ａの温度が低くなるとペルチェ素子２３が発熱し、放熱フィン２７と放熱ファン２９を介して栽培室１５ａの温度が上がる。
そして、栽培室１５ａの温度を植物Ｐ１の生育に適切な１５℃となるように調節し、また、ＬＥＤ２１から植物Ｐ１に照射される光の強さが１５００ルクス、１日の光の照射時間が８時間になるように調節する。
【００１８】
上記と同様にして栽培室１５ｂでは植物Ｐ２の生育に適切な温度１８℃となるように調節すると共に、ＬＥＤ２１から植物Ｐ２に照射される光の強さが１８００ルクスで、１日の光の照射時間が１０時間になるように調節する。
また、栽培室１５ｃでは植物Ｐ３の生育に適切な温度２２℃となるように調節すると共に、ＬＥＤ２１から植物Ｐ３に照射される光の強さが２０００ルクスで、１日の光の照射時間が１２時間になるように調節する。栽培室１５ｄでは植物Ｐ４の生育に適切な温度２５℃となるように調節すると共に、ＬＥＤ２１から植物Ｐ４に照射される光の強さが２５００ルクスで、１日の光の照射時間が１４時間になるように調節する。
【００１９】
このように植物栽培装置１は、栽培室１５ａ、１５ｂ、１５ｃ、１５ｄのそれぞれにＬＥＤユニット１９、ペルチェ素子２３、冷却フィン２５、放熱フィン２７、放熱ファン２９および温度センサー３１が備えられているので、栽培室１５ａ、１５ｂ、１５ｃ、１５ｄ毎に温度や光の強さ・照射時間の光の照射条件を調節することができる。従って、最適な栽培条件がそれぞれ異なる植物Ｐ１、Ｐ２、Ｐ３、Ｐ４を一台の植物栽培装置１で栽培することが可能となる。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では植物栽培装置１で異なる植物Ｐ１、Ｐ２、Ｐ３、Ｐ４を栽培する場合を示したが、本発明はこれに限定されず同じ種類の植物を栽培して、温度や光の強さ・照射時間の光の照射条件を栽培室１５ａ、１５ｂ、１５ｃ、１５ｄ毎、調節して栽培する植物の収穫時期、開花時期等をずらすことも可能である。
【００２１】
上記植物栽培装置１では、４つの栽培室１５ａ、１５ｂ、１５ｃ、１５ｄを備えたが、本発明は栽培室の数はこれに限定されないことは勿論である。
【００２２】
栽培室１５ａ、１５ｂ、１５ｃ、１５ｄは前面がそれぞれ開放状態となっていた、本発明はこれに限定されず、例えば栽培室１５ａ、１５ｂ、１５ｃ、１５ｄの前面に開閉自在な扉を取り付けてもよい。
栽培箱３７には人工土壌が収容されていたが、本発明はこれに限定されず、例えばロックウール等でもよい。
【産業上の利用可能性】
【００２３】
本発明の植物栽培装置は、植物栽培装置の製造業に利用することが可能である。
【符号の説明】
【００２４】
１…植物栽培装置                  ２…収容室
３…本体                          ５…底板
６…天板                        ７、８…側板
９…背板                        １１、１２、１３…仕切り板
１５ａ、１５ｂ、１５ｃ、１５ｄ…栽培室
１９…ＬＥＤユニット              ２１…ＬＥＤ
２３…ペルチェ素子                ２５…冷却フィン
２７…放熱フィン                  ２９…放熱ファン
３１…温度センサー                ３５…自動養液注入装置
３７…栽培箱
Ｐ１、Ｐ２、Ｐ３、Ｐ４…植物
【図１】
2014239667.tif 000003
【図２】
2014239667.tif 000004
【図３】
2014239667.tif 000005